(57)【要約】【課題】室内の空気質を、電気を使わず、音もなく、効果的に改善することができ、しかも、それを室内を嵩張らせず、施工容易に実現することができる、室内空気質改善システムを提供する。【解決手段】両面に通気孔２…を備えた中空板３内に空気質改善物質を収容して形成された空気質改善パネル１が、室内４の壁面７に沿い、該壁面７との間に周囲を通じて室内に連通する隙間８を形成するように垂直状態に備えられている。【選択図】      図１
2005283033.tif 000002
【特許請求の範囲】
【請求項１】
両面に通気孔を備えた中空板内に空気質改善物質を収容して形成された空気質改善パネルが、室内の壁面に沿い、該壁面との間に周囲を通じて室内に連通する隙間を形成するように垂直状態に備えられていることを特徴とする室内空気質改善システム。
【発明の詳細な説明】
【技術分野】
【０００１】
本発明は、室内空気質改善システムに関する。
【背景技術】
【０００２】
電気駆動式の空気清浄機を用いて室内の空気を清浄化したり、あるいは、室内の壁面に調湿機能や脱臭機能をもたせて結露やカビの発生を防いだりいやな臭いをとることは、従来より、行われている。
【発明の開示】
【発明が解決しようとする課題】
【０００３】
しかしながら、前者の電気駆動式の空気清浄機では、電気を消費するためランニングコストが高くつくのみならず、ファンの駆動音が気になる、また、室内を狭くする、などの問題がある。また、後者のものは、そのような問題はないが、その反面、室内の空気質改善の速度に問題があり、改善速度を高めるためには、室内の壁面の広い範囲にわたってその機能をもたせなければならず、施工が厄介であるという問題もある。
【０００４】
本発明は、上記のような従来の問題点に鑑み、室内の空気質を、電気を使わず、音もなく、効果的に改善することができ、しかも、それを室内を嵩張らせず、施工容易に実現することができる、室内空気質改善システムを提供することを課題とする。
【課題を解決するための手段】
【０００５】
上記の課題は、両面に通気孔を備えた中空板内に空気質改善物質を収容して形成された空気質改善パネルが、室内の壁面に沿い、該壁面との間に周囲を通じて室内に連通する隙間を形成するように垂直状態に備えられていることを特徴とする室内空気質改善システムによって解決される。
【０００６】
このシステムでは、例えば、室内を暖房しているとき、空気質改善パネルの背面側の温度は、空気質改善パネルが暖房熱を遮るように働くことによって室内温度よりも低くなる。そのため、空気質改善パネルの正面側と背面側の温度差によって室内の空気が通気孔を通じてパネルの背面側に移動し、それによって室内の空気が改善作用を受け、また、空気質改善パネルの背面側の隙間の空気は室内の温度よりも低いので、下降して室内に返され、その対流循環作用によって室内の空気質が改善されていく。
【０００７】
このように、上記のシステムは、空気質改善パネルで室内とパネル背面側の隙間との間に温度差を形成し、その温度差による対流作用で室内空気を動かしてパネルに通して室内の空気質を改善していくものであるから、室内の空気質を、電気を使わず、音もなく、効果的に改善することができる。しかも、パネルを室内の壁面に沿うように垂直状態に設置するものであるため、パネルで室内を嵩張らせて狭くすることもなく、対流による空気質改善促進作用によってコンパクトなパネルで室内空気質の効果的な改善を行うことができて施工も容易に行うことができる。
【発明の効果】
【０００８】
本発明は、以上のとおりのものであるから、室内の空気質を、電気を使わず、音もなく、効果的に改善することができ、しかも、それを室内を嵩張らせず、施工容易に実現することができる。
【発明を実施するための最良の形態】
【０００９】
次に、本発明の実施最良形態を図面に基づいて説明する。
【００１０】
図１に示す実施形態の室内空気質改善システムにおいて、１は空気質改善パネルであり、該空気質改善パネル１は、図１（ロ）に示すように、方形板状のパネルからなっていて、高さ寸法が例えば１７００ｍｍ、幅寸法が例えば７５０ｍｍであり、通気用の小さな丸孔２…が両面の面内全域にわたるように多数分散状状態に備えられた中空板３を表装材として備え、中空板３の内部に図示しない空気質改善物質を収容して構成されているもので、本実施形態では、空気質改善物質として、消臭機能と調湿機能と備えたセラミックスナノカーボンが用いられている。
【００１１】
そして、上記の空気質改善パネル１は、図１（イ）に示すように、寝室等の室内４において、天井５と床６の両方に対して間隔をおいて、壁面７に沿うように垂直状態に立てられ、壁面７との間に、周囲を通じて室内４に連通する隙間８を形成するようにスペーサー９…を用いて壁面７に取り付けられて、室内空気質改善システムを形成している。
【００１２】
上記のシステムでは、冬期に室内４を暖房しているとき、空気質改善パネル１の背面側の温度は、空気質改善パネル１が暖房熱を遮るように働くことによって、室内温度が例えば２０°Ｃであるとき、それよりも低い例えば１７°Ｃである。そのため、空気質改善パネル１の正面側と背面側の温度差によって室内４の空気が通気孔２…を通じてパネル１の背面側に移動し、それによって室内の空気が中空板３内の空気質改善物質による改善作用を受け、また、空気質改善パネル１の背面側の隙間８の空気は室内４の温度よりも低いので、下降して室内４に返され、その対流循環作用によって室内４の空気質が改善されていく。
【００１３】
また、空気質改善パネル１を挟んだ室内４側と背面側の隙間８の側との温度差は、冬期の暖房時に限らず、暖房を切った時や、あるいは、夏期冷房時などにおいても生じるので、季節を通じて、その対流作用で室内空気が動かされ、室内の空気質が改善されていく。
【００１４】
空気質改善パネル１と背面側の壁面７との間隔寸法は、室内空気質改善を温度差対流作用によって促進的なものにするため、例えば、５〜５０ｍｍ、特に１５〜３０ｍｍの範囲において設定されるのが好ましい。
【００１５】
このように、室内４の空気を、温度差対流作用でパネル１に通して室内４の空気質を改善していくものであるから、室内４の空気質を、電気を使わず、音もなく、効果的に改善することができる。しかも、パネル１は、室内４の壁面７に沿うように垂直状態に設置されて用いられるため、パネル１で室内４を嵩張らせて狭くすることもなく、パネル１を取り付けるだけでよく、パネルは板状のものであることも相俟って、施工や取付けも容易に行うことができる。
【００１６】
以上に、本発明の実施形態を示したが、本発明はこれに限られるものではなく、発明思想を逸脱しない範囲で各種の変更が可能である。例えば、本発明のシステムは、寝室のほか、子供部屋、トイレ、リビング、和室、事務室など、室内の温度とパネル背面側の温度差を利用して室内の空気をパネルに通すことができる各種の室内に用いることができるものである。また、パネルに備えさせる通気孔の形態やサイズに制限はないし、パネルの形状も様々であってもよいし、サイズも室内との関係で大小変更されてよい。更に、上記の実施形態では、空気質改善物質として、消臭、調湿の両機能を備えたものを示しているが、消臭機能のみを備えたものであってもよいし、調湿機能のみを備えたものであってもよいし、その他の空気質改善機能を備えたものであってもよい。
【図面の簡単な説明】
【００１７】
【図１】図（イ）は実施形態の室内空気質改善システムを示す断面側面図、図（ロ）は空気質改善パネルの斜視図である。
【符号の説明】
【００１８】
１…空気質改善パネル
２…通気孔
３…中空板
４…室内
７…壁面
８…隙間
【図１】
2005283033.tif 000003